(57)【特許請求の範囲】
【請求項１】
一端側に吹出し口を有し、他端側に吹込み口を有する筒状の燃焼室と、
該吹込み口側から前記燃焼室内部に向けて火炎を噴射する火炎噴射手段と、
該吹込み口側から前記燃焼室内部に向けて被燃焼物が燃焼する際に必要な空気を供給する空気供給手段と、
前記被燃焼物が貯蔵された被燃焼物貯蔵部と、を備え、
前記被燃焼物、及び前記空気の供給が許容される空気供給路の一端側を、前記空気供給手段を介して前記燃焼室の吹込み口に接続し、
前記空気供給路の他端側を、
前記被燃焼物が貯蔵された前記被燃焼物貯蔵部に挿入するとともに、該空気供給路における前記被燃焼物貯蔵部より外部に突出した突出側端部に、前記空気の吸い込みが許容される空気吸込み口を設け、
前記空気供給路における前記被燃焼物貯蔵部の貯蔵領域内に挿入した部分に、該被燃焼物貯蔵部に貯蔵された被燃焼物の吸い込みが許容される被燃焼物吸込み孔を設けた
燃焼装置。
【請求項２】
前記空気供給路を、
前記空気供給手段を介して前記燃焼室の吹込み口に接続した主供給路と、
前記主供給路における前記被燃焼物貯蔵部に挿入した挿入側端部に接続され、該主供給路よりも小径に形成した分岐供給路とで構成し、
前記空気吸込み口を、
前記分岐供給路における前記被燃焼物貯蔵部より外部に突出した突出側端部に設け、
前記被燃焼物吸込み孔を、
前記分岐供給路における前記被燃焼物貯蔵部の貯蔵領域内に挿入した部分に複数設けた
請求項１に記載の燃焼装置。
【請求項３】
前記主供給路の他端側を、
前記被燃焼物貯蔵部における径方向中心部に対して上方から垂直に挿入するとともに、該被燃焼物貯蔵部の底部に対して所定間隔に近接される長さに設け、
前記分岐供給路を、
前記被燃焼物貯蔵部の径方向中心部を中心として、前記主供給路における他端側外周面に対して周方向に所定間隔を隔てて放射状に複数配置した
請求項１又は２に記載の燃焼装置。
【請求項４】
前記空気供給手段を、
前記被燃焼物の粉砕が許容される複数の羽根を備えた空気供給ファンで構成した
請求項１〜３のいずれか一つに記載の燃焼装置。
【請求項５】
前記燃焼室内部の径方向中央部に、
該燃焼室と同心円に固定され、該燃焼室の吹出し口と対応する一端側を閉塞するとともに、該燃焼室の吹込み口と対応する他端側を開口した筒状の火炎吹出し筒を設け、
前記火炎吹出し筒の外周面に、
該火炎吹出し筒の径方向中心部に向けて吹き込まれる火炎が、該火炎吹出し筒の径外方向に向けて吹き出しが許容される複数の火炎吹出し孔を設けた
請求項１〜４のいずれか一つに記載の燃焼装置。
【請求項６】
前記火炎により加熱される部分を、耐熱性を有する親水性無機高分子溶液を加えてなる耐熱セメントで覆った
請求項１〜５のいずれか一つに記載の燃焼装置。
【発明の詳細な説明】
【技術分野】
【０００１】
この発明は、例えば、米や玄米などの穀物を精白する際に発生する糠、豆乳を絞った際のかすであるおから、木材を加工する際に発生する木製チップ（木屑を含む）等の被燃焼物を燃料として完全燃焼させる機能を備えた燃焼装置に関し、より詳しくは、焼却炉、発電用や暖房用のボイラー等においてバーナーとして用いられる燃焼装置に関する。
【背景技術】
【０００２】
従来、上述の焼却炉において、被焼却物を焼却処理する際に用いられる燃料としては、例えば、重油、軽油、灯油等の液体燃料、あるいは、天然ガス、プロパンガス等の気体燃料が一般的に用いられるが、燃料が良好に燃焼するための条件としては、燃料が燃焼するのに必要な空気を安定して供給すること、燃料と空気との混合比を最適な状態に保つことが挙げられる。
【０００３】
上述の燃料を燃焼させるための装置としては、例えば、バーナー燃焼方式における燃料気化機が提案されている（特許文献１参照）。この燃料気化機は、燃料供給機構から供給される燃料を加熱機構により加熱して気化するとともに、気化した燃料と空気とを空気供給機構により混合して燃焼部に供給し、該燃焼部にて燃焼させる。
【０００４】
特許文献１の燃料気化機を、例えば、被焼却物の焼却処理に用いた場合、被焼却物の焼却量が少なければ、液体燃料や気体燃料を燃焼させた際に発生する火炎にて焼却処理するが、被焼却物の焼却量が多い場合、燃料の消費量が多くなるだけでなく、比較的高価な液体燃料や気体燃料を燃料として使用するため、焼却コストが高くなる。
【０００５】
そこで、比較的安価な燃料として、例えば、糠、おから、木製チップ等の被燃焼物を燃料として用いることにより、被焼却物を焼却する際に要する焼却コストを安価に抑えることができる。  
しかし、上述の被燃焼物は、液体燃料や気体燃料に比べて均一に拡散しにくく、被燃焼物が塊状になりやすいので、被燃焼物と空気とを燃え易い状態に混合することが困難である。また、塊状を有する被燃焼物の中心部にまで火が通りにくく、被燃焼物全体を均一に燃焼させることが困難であるため、被焼却物を焼却するのに必要な火力の火炎を得ることができない。
【先行技術文献】
【特許文献】
【０００６】
【特許文献１】特開平６−６６４１６号公報
【発明の概要】
【発明が解決しようとする課題】
【０００７】
この発明は、被燃焼物を燃料として効率よく完全燃焼させることができるうえ、所望する火力の火炎を発生させることができる燃焼装置を提供することを目的とする。
【課題を解決するための手段】
【０００８】
この発明は、一端側に吹出し口を有し、他端側に吹込み口を有する筒状の燃焼室と、該吹込み口側から前記燃焼室内部に向けて火炎を噴射する火炎噴射手段と、該吹込み口側から前記燃焼室内部に向けて被燃焼物が燃焼するのに必要な空気を供給する空気供給手段と、前記被燃焼物が貯蔵された被燃焼物貯蔵部と、を備え、前記被燃焼物及び前記空気の供給が許容される空気供給路の一端側を、前記空気供給手段を介して前記燃焼室の吹込み口に接続し、前記空気供給路の他端側を、前記被燃焼物が貯蔵された前記被燃焼物貯蔵部に挿入するとともに、該空気供給路における前記被燃焼物貯蔵部より外部に突出した突出側端部に、前記空気の吸い込みが許容される空気吸込み口を設け、前記空気供給路における前記被燃焼物貯蔵部の貯蔵領域内に挿入した部分に、該被燃焼物貯蔵部に貯蔵された被燃焼物の吸い込みが許容される被燃焼物吸込み孔を設けた燃焼装置であることを特徴とする。
【０００９】
ここで、上記被燃焼物は、例えば、米や玄米などの穀物を精白する際に発生する糠、豆乳を絞った際のかすであるおから、木材を加工する際に発生する木製チップ（木屑を含む）等で構成することができる。  
火炎噴射手段は、例えば、２穴式の火炎噴射ノズル、１穴式の火炎噴射ノズル等で構成することができる。  
空気供給手段は、例えば、プレートファン、ターボファン等の空気供給ファンで構成することができる。  
被燃焼物貯蔵部は、例えば、被燃焼物を貯蔵する貯蔵用ホッパー、貯蔵用ケースや貯蔵用容器等の被燃焼物貯蔵槽で構成することができる。
【００１０】
この発明によれば、被燃焼物を燃料として効率よく完全燃焼させることができるうえ、所望する火力の火炎を発生させることができる。  
詳述すると、本実施形態の燃焼装置を、例えば、被焼却物を焼却処理するための焼却炉に用いる場合、焼却炉内に投入された被焼却物の焼却量が多ければ、燃焼装置外部の空気を、空気供給手段の吸気力により空気供給路の空気吸込み口から積極的に吸い込むことにより、空気供給路における被燃焼物貯蔵部の貯蔵領域内に設けた被燃焼物吸込み孔に、被燃焼物の吸い込みが許容される負圧を発生させる。
【００１１】
上述の負圧により、被燃焼物貯蔵部に貯蔵された被燃焼物を、空気供給路の被燃焼物吸込み孔から積極的に吸い込むとともに、空気供給路の空気吸込み口から吸い込まれる空気中に対して均一に拡散あるいは混合させながら、被燃焼物が完全燃焼するのに十分な空気と一緒に、火炎噴射手段の着火許容領域内に供給する。
【００１２】
空気中に拡散された被燃焼物を、火炎噴射手段から噴射される火炎により着火して燃焼させるとともに、火炎噴射手段から噴射される燃料が燃焼した火炎と、被燃焼物が燃焼した火炎とを合流させながら、吹込み口から燃焼室内に吹き込む。あるいは被燃焼物が燃焼した火炎のみを吹込み口から燃焼室内に吹き込み、該燃焼室の吹出し口から勢いよく吹き出させる。
【００１３】
これにより、大量の被焼却物が焼却炉内に投入されても、燃焼室の吹出し口から吹き出される火炎により確実に焼却処理することができる。  
この結果、例えば、液体燃料や気体燃料等に比べて、比較的安価な被燃焼物を燃料として効率よく完全燃焼させることができるうえ、焼却処理等に必要な所望する火力の火炎を発生させることができるので、燃焼コスト及び焼却コストの低減を図ることができる。
【００１４】
なお、焼却炉内に投入された被焼却物の焼却量が少ない場合、空気供給路の被燃焼物吸込み孔を、例えば、閉塞手段（具体的には閉塞板）にて閉塞した後、燃焼装置外部の空気を、空気供給手段の吸気力により空気供給路の空気吸込み口から吸い込むとともに、火炎噴射手段から噴射される火炎が完全燃焼するのに十分な空気を、火炎噴射手段の着火許容領域内に供給する。
【００１５】
空気供給路の空気吸込み口から吸い込まれる空気を、火炎噴射手段の着火許容領域内に供給しながら、火炎噴射手段から噴射される火炎を、吹込み口から燃焼室内に吹き込むとともに、燃焼室の吹出し口から勢いよく吹き出させる。  
これにより、少ない焼却量の被焼却物を、火炎噴射手段から噴射される火炎のみで焼却処理することができる。
【００１６】
この発明の態様として、前記空気供給路を、前記空気供給手段を介して前記燃焼室の吹込み口に接続した主供給路と、前記主供給路における前記被燃焼物貯蔵部に挿入した挿入側端部に接続され、該主供給路よりも小径に形成した分岐供給路とで構成し、前記空気吸込み口を、前記分岐供給路における前記被燃焼物貯蔵部より外部に突出した突出側端部に設け、前記被燃焼物吸込み孔を、前記分岐供給路における前記被燃焼物貯蔵部の貯蔵領域内に挿入した部分に複数設けることができる。
【００１７】
この発明によれば、所望する火力の火炎を発生させるのに十分な被燃焼物を安定して供給することができる。  
詳述すると、空気供給路の分岐供給路を、主供給路よりも小径に形成しているので、空気供給手段の吸気力により、分岐供給路に設けた複数の被燃焼物吸込み孔に、被燃焼物の吸い込みが許容される負圧をより積極的に発生させることができる。
【００１８】
これにより、被燃焼物貯蔵部に貯蔵された被燃焼物を、分岐供給路に設けた複数の被燃焼物吸込み孔から吸い込むとともに、空気吸込み口から吸い込まれた空気中に対して均一に拡散させながら、空気供給手段を介して吹込み口から燃焼室内に向けて供給する。  
この結果、所望する火力の火炎を発生させる際、被燃焼物の供給量が不足することを防止でき、所望する火力の火炎をより安定して発生させることができる。
【００１９】
また、この発明の態様として、前記主供給路の他端側を、前記被燃焼物貯蔵部における径方向中心部に対して上方から垂直に挿入するとともに、該被燃焼物貯蔵部の底部に対して所定間隔に近接される長さに設け、前記分岐供給路を、前記被燃焼物貯蔵部の径方向中心部を中心として、前記主供給路における他端側外周面に対して周方向に所定間隔を隔てて放射状に複数配置することができる。
【００２０】
この発明によれば、被燃焼物貯蔵部に貯蔵された略全ての被燃焼物を燃料として供給することができる。  
詳述すると、空気供給手段の吸気力により、放射状に配置した複数の分岐供給路における被燃焼物吸込み孔に、被燃焼物の吸い込みが許容される負圧を発生させる。被燃焼物貯蔵部に貯蔵された被燃焼物を、複数の分岐供給路における被燃焼物吸込み孔から吸い込むとともに、分岐供給路の空気吸込み口から吸い込まれる空気中に対して均一に拡散あるいは混合させながら、空気供給手段を介して吹込み口から燃焼室内に向けて供給する。
【００２１】
これにより、被燃焼物貯蔵部に貯蔵された略全ての被燃焼物を、複数の分岐供給路における被燃焼物吸込み孔から満遍なく略均等に吸い込むことができる。  
この結果、被燃焼物を、被燃焼物貯蔵部内に残留させることなく、被燃焼物貯蔵部に貯蔵された略全ての被燃焼物を、所望する火力の火炎を発生させるための燃料として供給することができる。
【００２２】
また、この発明の態様として、前記空気供給手段を、前記被燃焼物の粉砕が許容される複数の羽根を備えた空気供給ファンで構成することができる。  
この発明によれば、被燃焼物を、空気中に対して均一に拡散して燃焼室に供給することができる。
【００２３】
詳述すると、空気供給ファンの吸気力により被燃焼物貯蔵部に貯蔵された被燃焼物を、空気供給路の被燃焼物吸込み孔から吸い込むとともに、空気供給路の空気吸込み口から吸い込まれた空気中に対して均一に拡散させながら、空気供給ファン内に送り込む。
【００２４】
空気供給ファンにおける複数の羽根を、該空気供給ファン内に送り込まれた被燃焼物に対して連続的に当接又は衝突させるので、例えば、被燃焼物吸込み孔から吸い込まれる被燃焼物が塊状を有していても、より細かく粉砕して空気中に対して均一に拡散することができる。
【００２５】
この結果、被燃焼物を均一に拡散して空気と一緒に、吹込み口から燃焼室内に吹き込むことにより、被燃焼物をより効率よく完全燃焼させることができるうえ、所望する火力の火炎をより確実に発生させることができる。
【００２６】
また、この発明の態様として、前記燃焼室内部の径方向中央部に、該燃焼室と同心円に固定され、該燃焼室の吹出し口と対応する一端側を閉塞し、該燃焼室の吹込み口と対応する他端側を開口した筒状の火炎吹出し筒を設け、前記火炎吹出し筒の周面に、該火炎吹出し筒の径方向中心部に向けて吹き込まれる火炎が、該火炎吹出し筒の径外方向に向けて吹き出し許容される複数の火炎吹出し孔を設けることができる。
【００２７】
この発明によれば、所望する火力の火炎をより効率よく発生させることができる。  
詳述すると、吹込み口から燃焼室内に吹き込まれる火炎を、火炎吹出し筒の径方向中心部に向けて吹き込むとともに、該火炎吹出し筒の周面に設けた複数の火炎吹出し孔から径外方向に吹き出させる。
【００２８】
火炎吹出し筒の径方向中心部に向けて吹き込まれる一部の火炎を、火炎吹出し筒の一端側閉塞部に当てて径外方向に分流するとともに、該分流した火炎を、火炎吹出し筒の内周面に沿って他端側開口部から吹込み口に向けて吹き出させる。
【００２９】
火炎吹出し筒の火炎吹出し孔から吹き出される火炎に、火炎吹出し筒の他端側開口部から吹き出される火炎と、吹込み口から燃焼室内に向けて吹き込まれる火炎とを合流させながら、燃焼室の吹出し口から勢いよく吹き出させる。
【００３０】
火炎吹出し筒の径方向中心部に向けて吹き込まれる火炎と、火炎吹出し筒の内周面に沿って他端側開口部から吹き出される火炎との間に、火炎の渦巻く流れが発生するので、火炎における渦巻き部分の中心部が高温となるだけでなく、被燃焼物を燃焼させるための火種にもなる。
【００３１】
これにより、火炎吹出し筒に吹き込まれる火炎中に未燃焼の被燃焼物が残っていても、被燃焼物をより確実に完全燃焼させることができる。  
この結果、空気中に拡散された被燃焼物を燃料としてより確実に完全燃焼させることができ、所望する火力の火炎が得られる。
【００３２】
また、この発明の態様として、前記火炎により加熱される部分を、耐熱性を有する親水性無機高分子溶液を加えてなる耐熱セメントで覆うことができる。  
ここで、上記火炎により加熱される部分は、例えば、燃焼室の内周面、空気供給ファンの内周面及び羽根の外面、火炎吹出し筒の全周面、空気供給路の一端側内周面等で構成することができる。
【００３３】
この発明によれば、燃焼装置の耐熱性、及び耐火性をより向上させることができる。  
詳述すると、本実施形態の燃焼装置において、火炎により直接的、あるいは間接的に加熱される部分（具体的には燃焼室の内周面、空気供給ファンにおけるファン本体の内周面及び羽根の外面、火炎吹出し筒の全周面、空気供給路における主供給路の一端側内周面）を、親水性無機高分子溶液（具体的には、商品名＝ＭＳＬ「メタル・シリコン・リキッド」）を加えてなる耐熱セメントにて覆っている。  
これにより、例えば、耐熱性、及び耐火性を有する金属が溶解するような高い温度の火炎を発生させても、燃焼装置における火炎にて加熱される部分が溶解することを防止できる。
【００３４】
この結果、燃焼装置の耐熱性、及び耐火性が向上し、所望する火力の火炎を発生させるのに十分な機能が長期に亘り安定して得られる。  
しかも、耐熱セメントに含まれる親水性無機高分子溶液はナトリウム（Ｎａ）を豊富に含んでおり、例えば、燃焼時に発生する塩素を捕獲して塩化ナトリウムに置換する特性を有するため、ダイオキシンの発生を抑制する効果が得られる。
【発明の効果】
【００３５】
この発明によれば、被燃焼物を燃料として効率よく完全燃焼させることができるうえ、所望する火力の火炎を発生させることができる燃焼装置を提供することができる。
【図面の簡単な説明】
【００３６】
【図１】本実施形態の燃焼装置における燃焼室の断面図。
【図２】図１に示す燃焼室のＭ−Ｍ線切断端面図。
【図３】空気供給路及び被燃焼物貯蔵部の断面図。
【図４】図３に示す被燃焼物貯蔵部のＮ−Ｎ線断面図。
【図５】円錐型を有する他の例の被燃焼物貯蔵部の断面図。
【図６】火種部を設けた他の例の燃焼室の断面図。
【図７】空気吸込み路を設けた他の例の空気供給路の部分拡大断面図。
【図８】撹拌装置を設けた他の例の被燃焼物貯蔵部の断面図。
【発明を実施するための形態】
【００３７】
この発明の一実施形態を以下図面に基づいて詳述する。  
図１は本実施形態の燃焼装置１０における燃焼室２０の断面図、図２は図１に示す燃焼室２０のＭ−Ｍ線切断端面図、図３は空気供給路６０及び被燃焼物貯蔵部７０の断面図、図４は図３に示す被燃焼物貯蔵部７０のＮ−Ｎ線断面図である。
【００３８】
本実施形態の燃焼装置１０は、装置本体１０ａにおける軸方向Ｙの一端側Ｙａに吹出し口２０ａを有し、他端側Ｙｂに吹込み口２０ｂを有する筒状の燃焼室２０と、吹込み口２０ｂ側から燃焼室２０内部に向けて火炎ＦＨを噴射する火炎噴射ノズル３０と、吹込み口２０ｂ側から燃焼室２０内部に向けて被燃焼物Ｄが燃焼する際に必要な空気Ａｒを供給するプレートファン型の空気供給ファン４０と、燃焼室２０内部に対して同心円に固定した筒状の火炎吹出し筒５０と、吹込み口２０ｂ側から燃焼室２０内部に向けて被燃焼物Ｄ及び空気Ａｒを供給する空気供給路６０と、燃焼可能な被燃焼物Ｄを貯蔵する被燃焼物貯蔵部７０と、を備えている。
【００３９】
燃焼室２０は、耐熱性、及び耐火性を有する金属にて略円筒状に形成され、図示しない支持手段にて略水平となる横置き状態に支持している。  
該燃焼室２０における軸方向Ｙの一端側Ｙａには、燃料Ｆｕあるいは被燃焼物Ｄが燃焼した火炎ＦＨの吹き出しが許容される吹出し口２０ａを開口している。軸方向Ｙの他端側Ｙｂには、火炎ＦＨ、空気Ａｒ、及び被燃焼物Ｄの吹き込みが許容される吹込み口２０ｂを開口している。
【００４０】
火炎噴射ノズル３０は、火炎吹出し筒５０の径方向中心部Ｐ１に向けて燃料Ｆｕが燃焼した火炎ＦＨを噴射する２穴式のノズルで構成され、燃焼室２０における吹込み口２０ｂの径方向中心部Ｐ１に配置している。  
具体的には、燃焼室２０の吹込み口２０ｂに接続した空気供給ファン４０における空気吹出し口４３の径方向中心部Ｐ１に配置している。
【００４１】
火炎噴射ノズル３０には、燃料供給管３０ａの一端を接続している。燃料供給管３０ａの他端は、図示しないポンプやバルブを介して燃料Ｆｕを供給する燃料供給源３１に接続している。  
火炎噴射ノズル３０から噴射される燃料Ｆｕの着火が許容される着火許容領域内には、該燃料Ｆｕに着火する着火装置３２（具体的にはヒーター、圧電点火装置）を設けている（図１、図２参照）。
【００４２】
火炎噴射ノズル３０の先端には、火炎吹出し筒５０の径方向中心部Ｐ１に向けて火炎ＦＨを略真っ直ぐに噴射する図示しない直線状噴射孔と、火炎ＦＨを放射状に噴射する図示しない放射状噴射孔とを設けている。直線状噴射孔と放射状噴射孔は、図示しない切替え装置により切り替え可能に設けている。
【００４３】
火炎噴射ノズル３０の直線状噴射孔から噴射される直線状の火炎ＦＨは、火炎吹出し筒５０の閉塞部５１に到達する程、遠くまで真っ直ぐに噴射される。放射状噴射孔から噴射される放射状の火炎ＦＨは、火炎吹出し筒５０の内部全体に対して略均等に噴射される。
【００４４】
なお、空気供給ファン４０における火炎噴射ノズル３０よりも空気吹出し口４３側寄りの内部に、該火炎噴射ノズル３０から噴射される火炎ＦＨの安定を促進する図示しないフレームホルダを設けてもよい。
【００４５】
空気供給ファン４０は、耐熱性、及び耐火性を有する金属にて形成したファン本体４１と、複数の羽根４２とで構成している。ファン本体４１の空気吹出し口４３は、燃焼室２０の吹込み口２０ｂに接続している。ファン本体４１の空気吸込み口４４には、空気供給路６０（具体的には主供給路６１）の一端側を接続している。
【００４６】
複数の羽根４２は、ファン本体４１の一側部に直結したモータ４５の駆動力により供給方向Ｚに回転され、空気吸込み口４４側に、空気Ａｒ、及び被燃焼物Ｄの吸い込みが許容される負圧を発生させる。  
すなわち、被燃焼物Ｄが均一に拡散された空気Ａｒ、あるいは空気Ａｒのみを、ファン本体４１の空気吸込み口４４から吸い込むとともに、空気吹出し口４３に向けて供給する（図１、図３参照）。
【００４７】
火炎吹出し筒５０は、耐熱性、及び耐火性を有する金属にて略筒状に形成している。火炎吹出し筒５０の軸方向Ｙ全長は、燃焼室２０の軸方向Ｙ全長よりも短く、火炎吹出し筒５０の外径は、燃焼室２０の内径よりも小径に形成している。
【００４８】
火炎吹出し筒５０における軸方向Ｙの一端側Ｙａは、火炎ＦＨの吹き出しを阻止する閉塞部５１にて閉塞している。火炎吹出し筒５０における軸方向Ｙの他端側Ｙｂには、火炎ＦＨ、空気Ａｒ、被燃焼物Ｄの吹き込みが許容される開口部５２を、燃焼室２０の吹込み口２０ｂに向けて開口している。
【００４９】
火炎吹出し筒５０は、燃焼室２０内部の径方向中央部に配置され、該燃焼室２０の内周面と火炎吹出し筒５０の外周面との間に架設した複数の支柱５３により支持するとともに、該燃焼室２０に対して一つの径方向中心部Ｐ１を共有する同心円に固定している（図１、図２参照）。
【００５０】
火炎吹出し筒５０における閉塞部５１以外の外周面には、火炎噴射ノズル３０から供給される火炎ＦＨが、該火炎吹出し筒５０の径外方向に向けて吹き出し許容される孔径に形成した多数の火炎吹出し孔５０ａを設けている。
【００５１】
火炎吹出し孔５０ａは、火炎吹出し筒５０の径方向に貫通して形成するとともに、該火炎吹出し筒５０における閉塞部５１以外の外周面に沿って周方向Ｘ、及び軸方向Ｙに所定間隔を隔てて配置している。
【００５２】
燃焼室２０の内周面と火炎吹出し筒５０の外周面との間には、燃焼室２０における吹込み口２０ｂ側から吹出し口２０ａ側に向けて火炎ＦＨの吹き出しが許容される火炎吹出し路５４を設けている。  
火炎吹出し筒５０の外周面には、燃料供給管５５の一端を接続している。燃料供給管５５の他端は、図示しないポンプやバルブを介して燃料供給源５６に接続している（図１参照）。
【００５３】
詳述すると、燃料供給源５６から供給される燃料Ｆｕを、燃料供給管５５から火炎吹出し筒５０内に供給して、該火炎吹出し筒５０内に吹き込まれる火炎ＦＨにて着火することにより、火炎吹出し筒５０内に吹き込まれる火炎ＦＨ中に未燃焼の被燃焼物Ｄが残っていても、完全に燃焼させることができる。
【００５４】
空気供給路６０は、被燃焼物Ｄが均一に拡散された空気Ａｒ、あるいは空気Ａｒのみの供給が許容される主供給路６１と、該主供給路６１よりも小径に形成した複数の分岐供給路６２とで構成している。
【００５５】
主供給路６１の一端側は、空気供給ファン４０におけるファン本体４１の空気吸込み口４４に接続している。該主供給路６１の他端側は、被燃焼物Ｄ（具体的には所望の水分含有量に乾燥した米糠）を貯蔵した被燃焼物貯蔵部７０に接続している。  
被燃焼物貯蔵部７０は、円筒型を有するホッパーで貯蔵部本体７０ａを構成するともとに、被燃焼物Ｄの投入が許容される構造を有している（図３、図４参照）。
【００５６】
主供給路６１の他端側は、被燃焼物貯蔵部７０における貯蔵部本体７０ａの径方向中心部Ｐ２に上方から垂直に挿入するとともに、該貯蔵部本体７０ａの底部７０ｂに対して所定間隔に近接される長さに設けている。
【００５７】
主供給路６１における他端側の貯蔵部本体７０ａに挿入した挿入側端部、すなわち、貯蔵部本体７０ａの底部７０ｂに近接した挿入側端部の外周面には、該主供給路６１よりも小径に形成した分岐供給路６２の一端側を接続している。
【００５８】
分岐供給路６２は、貯蔵部本体７０ａの径方向中心部Ｐ２を中心として、主供給路６１における他端側外周面に対して周方向に所定間隔を隔てて放射状に複数配置している（図４参照）。  
分岐供給路６２の他端側は、貯蔵部本体７０ａの外周面よりも径外方向に向けて所定長さ突出している。分岐供給路６２における貯蔵部本体７０ａ外部に突出した突出側端部には、空気Ａｒの吸い込みが許容される空気吸込み口６３を設けている。
【００５９】
主供給路６１における被燃焼物貯蔵部７０の貯蔵領域内に挿入した部分、すなわち、該貯蔵領域内に挿入した分岐供給路６２の外周面には、被燃焼物貯蔵部７０に貯蔵された被燃焼物Ｄの吸い込みが許容される被燃焼物吸込み孔６４を設けている。
【００６０】
被燃焼物吸込み孔６４は、分岐供給路６２の外周面に沿って長手方向、及び周方向に所定間隔を隔てて複数配置している（図３、図４参照）。  
なお、分岐供給路６２の空気吸込み口６３に、空気Ａｒ中に浮遊する異物を除去するための図示しないフィルタを取り付けてもよい。
【００６１】
主供給路６１の一端側には、該一端側外周面よりも他端側寄りの外周面に、可燃性の混合気体を生成するためのキャブレター６５（気化器）を接続している。  
キャブレター６５には、燃料供給管６５ａの一端を接続している。該燃料供給管６５ａの他端は、図示しないポンプやバルブを介して燃料供給源６６に接続している（図３参照）。
【００６２】
詳述すると、燃料供給源６６から供給される燃料Ｆｕをキャブレター６５にて気化するとともに、主供給路６１内に吸い込まれた空気Ａｒに混合して可燃性の混合気体を生成する。  
空気Ａｒ中に燃料Ｆｕが混合された混合気体を、被燃焼物Ｄと一緒に燃焼室２０内に送り込んで燃焼させることにより、空気Ａｒに混合した気化状態の燃料Ｆｕが積極的に燃焼するため、被燃焼物Ｄの燃焼を補助することができる。
【００６３】
これにより、被燃焼物Ｄを、燃料Ｆｕが混合されていない空気Ａｒと一緒に燃焼室２０内に送り込んで燃焼させるよりも、被燃焼物Ｄをより効率よく完全燃焼させることができる。  
なお、上述の燃料供給源３１，５６，６６を、１つの燃料供給源で構成してもよい。
【００６４】
主供給路６１におけるキャブレター６５よりも他端側寄りの一端側内部には、板状の流量調整体６７を枢着している。該流量調整体６７は、図示しない手動式又は電動式の回動手段により開閉方向に回動される（図３参照）。
【００６５】
詳述すると、流量調整体６７を開方向に回動して、空気Ａｒ及び被燃焼物Ｄの供給量を多くなるように流量調整すれば、燃焼室２０の吹出し口２０ａから吹き出される火炎ＦＨの火力を強くすることができる。  
流量調整体６７を閉方向に回動して、空気Ａｒ及び被燃焼物Ｄの供給量が少なくなるように流量調整すれば、燃焼室２０の吹出し口２０ａから吹き出される火炎ＦＨの火力を弱めることができる。
【００６６】
上述の火炎ＦＨにより直接的、あるいは間接的に加熱される部分、具体的には、燃焼室２０の内周面、空気供給ファン４０におけるファン本体４１の内周面及び羽根４２の外面、火炎吹出し筒５０の全周面、空気供給路６０における主供給路６１の一端側内周面を、親水性無機高分子溶液（具体的には、商品名＝ＭＳＬ「メタル・シリコン・リキッド」）を加えてなる耐熱セメントＣにて覆っている。
【００６７】
燃焼室２０における吹出し口２０ａ側の内周面には、該吹出し口２０ａから吹き出される火炎ＦＨの温度を検知するための温度センサー２２を設けている。  
上述の火炎噴射ノズル３０、及び空気供給ファン４０は、温度センサー２２から出力される検知信号に基づいて、図示しない制御装置により制御される。該制御装置には、図示しないＣＰＵ、ＲＯＭ、ＲＡＭが内蔵されており、ＣＰＵは、ＲＯＭに格納されたプログラムに沿って、火炎噴射ノズル３０、及び空気供給ファン４０の駆動、及び停止を制御する。
【００６８】
ＣＰＵは、温度センサー２２から出力される検知信号に基づいて、燃焼室２０の吹出し口２０ａから吹き出される火炎ＦＨの温度が、予めＲＡＭに記憶された温度の範囲内であるか否かを判定する。
【００６９】
上述の判定結果に基づいて、火炎噴射ノズル３０から噴射される火炎ＦＨの噴射量（具体的には燃料Ｆｕの噴射量）と、空気供給ファン４０により供給される空気Ａｒの供給量とを可変調節する。  
これにより、燃焼室２０の吹出し口２０ａから吹き出される火炎ＦＨの火力を弱めたり、強くしたりする。
【００７０】
次に、上述の燃焼装置１０を、図示しない被焼却物を焼却処理するための焼却炉のバーナーとして用いた例について説明する。  
先ず、図示しない焼却炉内に投入された被焼却物の焼却量が多い場合、装置外部の空気Ａｒを、空気供給ファン４０の吸気力により分岐供給路６２の空気吸込み口６３から積極的に吸い込むことにより、分岐供給路６２における被燃焼物貯蔵部７０の貯蔵領域内に設けた被燃焼物吸込み孔６４に、被燃焼物Ｄの吸い込みが許容される負圧を発生させる。
【００７１】
上述の負圧により、被燃焼物貯蔵部７０に貯蔵された被燃焼物Ｄを、分岐供給路６２の被燃焼物吸込み孔６４から積極的に吸い込むとともに、分岐供給路６２の空気吸込み口６３から吸い込まれる空気Ａｒ中に対して均一に拡散及び混合させながら、主供給路６１を介して空気供給ファン４０内に送り込む（図３、図４参照）。
【００７２】
空気供給ファン４０における複数の羽根４２を、ファン本体４１内に送り込まれた被燃焼物Ｄに対して連続的に当接及び衝突させるので、燃焼物Ｄが塊状を有していても、より細かく粉砕して空気Ａｒ中に対して均一に拡散することができる。
【００７３】
空気送気ファン４０により供給される空気Ａｒ中に拡散された被燃焼物Ｄを、該被燃焼物Ｄが完全燃焼するのに十分な空気Ａｒと一緒に、火炎噴射ノズル３０の着火許容領域内に供給して、該火炎噴射ノズル３０から噴射される火炎ＦＨにより着火する（図１、図３参照）。
【００７４】
火炎噴射ノズル３０から噴射される燃料Ｆｕが燃焼した火炎ＦＨと、被燃焼物Ｄが燃焼した火炎ＦＨとを合流させながら、吹込み口２０ｂから燃焼室２０内に連続して吹き込むとともに、火炎吹出し筒５０の径方向中心部Ｐ１に向けて一緒に吹き込む。
【００７５】
火炎吹出し筒５０に吹き込まれた火炎ＦＨを、該火炎吹出し筒５０の周面に設けた複数の火炎吹出し孔５０ａから径外方向に吹き出させる。  
火炎吹出し筒５０の径方向中心部Ｐ１に向けて吹き込まれる一部の火炎ＦＨを、火炎吹出し筒５０の閉塞部５１に当てて径外方向に分流するとともに、その分流した火炎ＦＨを、火炎吹出し筒５０の内周面に沿って開口部５２から吹込み口２０ｂに向けて吹き出させる。
【００７６】
火炎吹出し孔５０ａから吹き出される火炎ＦＨに、開口部５２から吹き出される火炎ＦＨと、吹込み口２０ｂから吹き込まれる火炎ＦＨとを合流させながら、燃焼室２０の吹出し口２０ａから勢いよく吹き出させる（図１、図２参照）。  
これにより、大量の被焼却物が焼却炉内に投入されても、燃焼室２０の吹出し口２０ａから吹き出される火炎ＦＨにより確実に焼却処理することができる。
【００７７】
この結果、例えば、液体燃料や気体燃料等に比べて、比較的安価な被燃焼物Ｄを燃料として効率よく完全燃焼させることができるうえ、被焼却物を焼却するのに必要な所望する火力の火炎ＦＨを発生させることができるので、燃焼コスト及び焼却コストの低減を図ることができる。
【００７８】
しかも、空気供給ファン４０の吸気力により、被燃焼物貯蔵部７０に貯蔵された被燃焼物Ｄを、放射状に配置した複数の分岐供給路６２における被燃焼物吸込み孔６４から積極的に吸い込むとともに、分岐供給路６２の空気吸込み口６３から吸い込まれる空気Ａｒ中に対して均一に拡散及び混合させる。
【００７９】
被燃焼物Ｄを空気Ａｒと一緒に吹込み口２０ｂから燃焼室２０内に送り込んで燃焼させるので、所望する火力の火炎ＦＨを発生させるのに十分な被燃焼物Ｄを安定して供給することができる。  
この結果、被焼却物の焼却処理に必要な火炎ＦＨを発生させる際、被燃焼物Ｄの供給量が不足することを防止でき、所望する火力の火炎ＦＨをより安定して発生させることができる。
【００８０】
さらに、被燃焼物貯蔵部７０に貯蔵された略全ての被燃焼物Ｄを、複数の分岐供給路６２における被燃焼物吸込み孔６４から満遍なく略均等に吸い込むので、被燃焼物貯蔵部７０内に残留させることなく、被燃焼物貯蔵部７０に貯蔵された略全ての被燃焼物Ｄを、所望する火力の火炎ＦＨを発生させるための燃料として、空気Ａｒと一緒に燃焼室２０内に対して確実に供給することができる。
【００８１】
さらにまた、吹込み口２０ｂから燃焼室２０内に吹き込まれる火炎ＦＨを、火炎吹出し筒５０の径方向中心部Ｐ１に向けて吹き込むことにより、火炎吹出し筒５０の径方向中心部Ｐ１に吹き込まれる火炎ＦＨと、火炎吹出し筒５０の内周面に沿って開口部５２から吹き出される火炎ＦＨとの間に、火炎ＦＨの渦巻く流れが発生する。
【００８２】
これにより、火炎ＦＨにおける渦巻き部分の中心部が高温となるだけでなく、被燃焼物Ｄを燃焼させるための火種にもなるため、火炎吹出し筒５０に吹き込まれる火炎ＦＨ中に未燃焼の被燃焼物Ｄが残っていても、被燃焼物Ｄをより確実に完全燃焼させることができる。  
この結果、空気Ａｒ中に拡散された被燃焼物Ｄを燃料としてより効率よく完全燃焼させることができるうえ、被焼却物を焼却するのに必要な所望する火力の火炎ＦＨを発生させることができる。
【００８３】
さらにまた、火炎ＦＨにより直接的、あるいは間接的に加熱される燃焼室２０の内周面、空気供給ファン４０におけるファン本体４１の内周面及び羽根４２の外面、火炎吹出し筒５０の全周面、空気供給路６０における主供給路６１の一端側内周面を、親水性無機高分子溶液を加えてなる耐熱セメントＣにて覆っている。
【００８４】
これにより、耐熱性、及び耐火性を有する金属が溶解するような高い温度の火炎ＦＨを発生させても、燃焼室２０、空気供給ファン４０、火炎吹出し筒５０、空気供給路６０が溶解することを防止できる。  
この結果、燃焼装置１０の耐熱性、及び耐火性がより向上し、所望する火力の火炎ＦＨを発生させるのに十分な機能が長期に亘り安定して得られる。
【００８５】
しかも、耐熱セメントＣに含まれる親水性無機高分子溶液はナトリウム（Ｎａ）を豊富に含んでおり、燃焼時に発生する塩素を捕獲して塩化ナトリウムに置換する特性を有するため、ダイオキシンの発生を抑制する効果が得られる。
【００８６】
さらにまた、燃焼時間が経過するのに伴い、火炎吹出し筒５０の表面、あるいは燃焼室２０や空気供給ファン４０の内部が、被燃焼物Ｄの自然発火が許容される高い温度に加熱されるので、燃焼室２０内に送り込まれる空気Ａｒ中に拡散された被燃焼物Ｄを自然発火させることができる。
【００８７】
この結果、火炎噴射ノズル３０から噴射される火炎ＦＨの噴射を停止又は休止しても、空気Ａｒ中に拡散された被燃焼物Ｄを燃料として連続的に完全燃焼させることができるうえ、燃料Ｆｕの消費量を必要最小限に抑えることができる。
【００８８】
次に、焼却炉内に投入された被焼却物の焼却量が少ない場合、被焼却物を、火炎噴射ノズル３０から噴射される火炎ＦＨのみで焼却処理する。  
つまり、空気供給路６１における分岐供給路６２の被燃焼物吸込み孔６４を、図示しない閉塞手段（具体的には閉塞板）にて閉塞した後、装置外部の空気Ａｒを、空気供給ファン４０の吸気力により分岐供給路６２の空気吸込み口６３から吸い込むとともに、火炎噴射ノズル３０から噴射される火炎ＦＨが完全燃焼するのに十分な空気Ａｒを、該火炎噴射ノズル３０の着火許容領域内に供給する（図１、図３参照）。
【００８９】
火炎噴射ノズル３０から噴射される燃料Ｆｕに着火装置３２で着火して、該燃料Ｆｕが燃焼した火炎ＦＨを、吹込み口２０ｂから燃焼室２０内に吹き込むとともに、火炎吹出し筒５０の径方向中心部Ｐ１に向けて吹き込む。
【００９０】
火炎吹出し筒５０に吹き込まれた火炎ＦＨを、該火炎吹出し筒５０の周面に設けた複数の火炎吹出し孔５０ａから径外方向に吹き出させる。  
火炎吹出し筒５０の径方向中心部Ｐ１に吹き込まれる一部の火炎ＦＨを、火炎吹出し筒５０の閉塞部５１に当てて径外方向に分流するとともに、その分流した火炎ＦＨを、火炎吹出し筒５０の内周面に沿って開口部５２から燃焼室２０の吹込み口２０ｂに向けて吹き出させる。
【００９１】
火炎吹出し孔５０ａから吹き出される火炎ＦＨに、開口部５２から吹き出される火炎ＦＨと、吹込み口２０ｂから吹き込まれる火炎ＦＨとを合流させながら、燃焼室２０の吹出し口２０ａから勢いよく吹き出させる（図１、図２参照）。  
これにより、少ない焼却量の被焼却物を、火炎噴射ノズル３０から噴射される火炎ＦＨのみで焼却処理することができる。
【００９２】
次に、上述の燃焼装置１０のおける他の例について説明する。他の例において、前記構成と同一または同等の部位については同一の符号を記してその詳しい説明を省略する。
【００９３】
先ず、上述の被燃焼物Ｄを、円錐型を有する被燃焼物貯蔵部７１に貯蔵した他の例について説明する。  
図５は円錐型を有する他の例の被燃焼物貯蔵部７１の断面図である。
【００９４】
被燃焼物貯蔵部７１は、円錐型を有するホッパーで貯蔵部本体７１ａを構成している。貯蔵部本体７１ａにおける底部７１ｂは、該底部７１ｂの外周部から中央部に向けて徐々に小径となる円錐形に形成するとともに、該底部７１ｂの内周面を、該底部７１ｂの外周部から中央部に向けて徐々に低くなるように傾斜している。
【００９５】
詳述すると、被燃焼物貯蔵部７１に貯蔵した被燃焼物Ｄを燃料として燃焼させる際、空気供給ファン４０の吸気力により、被燃焼物貯蔵部７１に貯蔵した被燃焼物Ｄを、複数の分岐供給路６２における被燃焼物吸込み孔６４から吸い込む。
【００９６】
上述の吸い込み動作により、被燃焼物貯蔵部７１に貯蔵された被燃焼物Ｄの貯蔵量が減少するのに伴い、該被燃焼物Ｄが、円錐形を有する底部７１ｂの内周面に沿って流下しながら中央部に集合するので、被燃焼物貯蔵部７１に貯蔵された略全ての被燃焼物Ｄを、分岐供給路６２の被燃焼物吸込み孔６４から吸い込むことができる。
【００９７】
これにより、被燃焼物貯蔵部７０内に残留させることなく、被燃焼物貯蔵部７０に貯蔵された略全ての被燃焼物Ｄを、所望する火力の火炎ＦＨを発生させるための燃料として、空気Ａｒと一緒に燃焼室２０内に対して確実に供給することができる。
【００９８】
この結果、被燃焼物Ｄを燃料として燃焼室２０内にて燃焼させる際、被燃焼物Ｄの供給量が不足したり、断続的に供給されることを防止でき、所望する火力の火炎ＦＨをより安定して発生させることができる。  
しかも、被燃焼物貯蔵部７１に貯蔵された略全ての被燃焼物Ｄを、所望する火力の火炎ＦＨを発生させるための燃料として効率よく完全燃焼させることができる。
【００９９】
次に、上述の火炎噴射ノズル３０から噴射される火炎ＦＨの代わりに、被燃焼物Ｄを燃焼させるための火種部５０１を、火炎吹出し筒５０の一端側Ｙａ内部に設けた他の例について説明する。  
図６は火種部５０１を火炎吹出し筒５０の一端側Ｙａ内部に設けた他の例の燃焼室２０の断面図である。
【０１００】
詳述すると、火種部５０１は、火炎吹出し筒５０の内部を軸方向Ｙに２分割する壁部５０２と、閉塞部５１と壁部５０２との間に形成した火種室５０３と、火種室５０３内に収容した耐熱性、及び耐火性を有する多孔質のセラミックボール５０４とで構成している。
【０１０１】
壁部５０２は、火炎吹出し筒５０の内径と略同径に形成され、該火炎吹出し筒５０の閉塞部５１よりも開口部５１側に寄った内周面に、該閉塞部５１に対して所定間隔を隔てて設けている。  
壁部５０２には、火炎吹出し筒５０内に吹き込まれた火炎ＦＨの通過が許容される孔部５０２ａを、該壁部５０２に沿って所定間隔を隔てて複数設けている。
【０１０２】
つまり、燃焼室２０の吹込み口２０ｂから火炎吹出し筒５０内に向けて吹き込まれる一部の火炎ＦＨは、火種部５０１における壁部５０２の孔部５０２ａを通過し、火種室５０３に収容したセラミックボール５０４に吹き付けられる。
【０１０３】
これにより、火種室５０３に収容したセラミックボール５０４が略均一に加熱されて赤熱状態に変化するため、火炎噴射ノズル３０から噴射される火炎ＦＨの噴射を停止又は休止しても、赤熱状態のセラミックボール５０４を火種として、空気Ａｒに混合した気化状態の燃料Ｆｕ、あるいは、空気Ａｒ中に拡散された被燃焼物Ｄを連続的に完全燃焼させることができる。
【０１０４】
この結果、所望する火力の火炎ＦＨをより安定して発生させることができるうえ、火炎吹出し筒５０内に吹き込まれる火炎ＦＨ中に未燃焼の被燃焼物Ｄが残っていても、より一層に完全燃焼させることができる。
【０１０５】
次に、上述の空気Ａｒの吸込みが許容される空気吸込み路６０２を、空気供給路６０の主供給路６１に接続した他の例について説明する。  
図７は空気吸込み路６０２を主供給路６１に接続した他の例の空気供給路６０の部分拡大断面図である。
【０１０６】
詳述すると、空気吸込み路６０２の一端を、主供給路６１の一端側に接続している。該空気吸込み路６０２の他端には、空気Ａｒの吸い込みが許容される図示しない空気吸込み口を設けている。  
空気吸込み路６０２の内部には、空気Ａｒの吸込み量を可変調整するための流量調整体６７を枢着している。
【０１０７】
主供給路６１における空気吸込み路６０２よりも空気供給ファン４０側に寄った一端側には、燃料供給管６０３の一端を接続している。該燃料供給管６０３の他端は、図示しないポンプやバルブを介して燃料供給源６０４に接続している。
【０１０８】
燃料供給管６０３における主供給路６１の内部に突出した突出側端部には、空気供給ファン４０の吸気力を利用して、燃料供給源６０４から供給される燃料Ｆｕを霧状に噴霧するための吹出し口６０３ａを設けている。
【０１０９】
つまり、空気供給ファン４０の吸気力により、燃料供給管６０３の吹出し口６０３ａから吐出される燃料Ｆｕを霧状に噴霧するとともに、空気Ａｒと一緒に供給される被燃焼物Ｄに対して略均一に混合しながら燃焼室２０内に供給する。
【０１１０】
これにより、火炎噴射ノズル３０から噴射される火炎ＦＨ、あるいは、火種部５０１に収容した赤熱状態のセラミックボール５０４を火種として、燃焼室２０内に供給される被燃焼物Ｄをより効率よく完全燃焼させることができるうえ、所望する火力の火炎ＦＨをより効率よく発生させることができる。
【０１１１】
また、被燃焼物貯蔵部７１に貯蔵された被燃焼物Ｄの供給を停止又は休止しても、燃料供給管６０３の吹出し口６０３ａから噴霧される霧状の燃料Ｆｕを、空気吸込み路６０２から吸い込まれる空気Ａｒ中に対して略均一に混合しながら燃焼室２０内に供給することにより、所望する火力の火炎ＦＨを発生させることができる。
【０１１２】
上述の被燃焼物Ｄの代わりに、霧状の燃料Ｆｕを燃焼室２０内にて燃焼させることにより、例えば、焼却や加熱に要する時間が短い、あるいは、焼却や加熱に要する火力が少なくて済む等の状況に応じて、所望する火力の火炎ＦＨを発生させることができる。
【０１１３】
次に、上述の被燃焼物貯蔵部７１に貯蔵された被燃焼物Ｄを撹拌するための撹拌装置７０１を、貯蔵部本体７１ａ内に設けた他の例について説明する。  
図８は撹拌装置７０１を貯蔵部本体７１ａ内に設けた他の例の被燃焼物貯蔵部７１の断面図である。
【０１１４】
詳述すると、撹拌装置７０１は、貯蔵部本体７１ａの貯蔵領域内に該貯蔵部本体７１ａの上下方向と直交して軸受した支持軸７０２と、該支持軸７０２の周面に突設した複数の撹拌羽根７０３と、該支持軸７０２の一端に直結したモータ７０４とで構成している。
【０１１５】
撹拌羽根７０３は、支持軸７０２の軸芯方向に対して所定間隔を隔てて複数配置するとともに、該支持軸７０２の軸芯を中心として円周方向に所定角度に偏心して径外方向に向けて突出している。
【０１１６】
つまり、モータ７０４の駆動力により複数の撹拌羽根７０３を回転させて、被燃焼物貯蔵部７１に貯蔵された被燃焼物Ｄを略均一に撹拌するとともに、空気供給路６０における分岐供給路６２の被燃焼物吸込み孔６４に対して吸込みが許容される大きさに粉砕する。
【０１１７】
これにより、水分を含んだ被燃焼物Ｄが、被燃焼物貯蔵部７１内にて塊状となっていても、被燃焼物Ｄを、被燃焼物貯蔵部７０の内部に残留、あるいは留まらせることなく、分岐供給路６２の被燃焼物吸込み孔６４から確実に吸い込むことができる。  
この結果、所望する火力の火炎ＦＨを発生させるのに十分な被燃焼物Ｄを、空気Ａｒと一緒に燃焼室２０内に対してより安定して供給することができる。
【０１１８】
なお、被燃焼物貯蔵部７０の分岐供給路６２は、空気供給路６０を構成するフレキシブルダクト６０１（具体的には蛇腹型ダクト）を介して、空気供給ファン４０の空気吸込み口４に接続している。  
すなわち、柔軟性を有するフレキシブルダクト６０１を変形（伸縮、屈曲）するだけで、被燃焼物貯蔵部７０の配置を、燃焼装置１０の設置場所に応じて自由に変更することができる。
【０１１９】
この発明の構成と、前記実施形態との対応において、  
この発明の火炎噴射手段は、実施形態の火炎噴射ノズル３０に対応し、  
以下同様に、  
空気供給手段は、空気供給ファン４０に対応するも、  
この発明は、上述の実施形態の構成のみに限定されるものではなく、請求項に示される技術思想に基づいて応用することができ、多くの実施の形態を得ることができる。
【０１２０】
上述の燃焼装置１０において、例えば、被焼却物の焼却量が少ない場合、上述の火炎噴射ノズル３０から噴射される火炎ＦＨと、被燃焼物Ｄが燃焼した火炎ＦＨとを併用してもよく、焼却に要する処理時間を大幅に短縮することができる。
【０１２１】
また、例えば、図示しない熱交換用の熱伝導管を、燃焼室２０の外周面（或いは内周面）に設けてもよく、燃焼時に放熱される余熱により熱伝導管内を流動する媒体（具体的には液体）を加熱して蒸発気化させ、その蒸気の圧力を利用して発電用蒸気タービンを駆動すれば、本実施形態の燃焼装置１０を発電にも利用することができる。
【符号の説明】
【０１２２】
Ａｒ…空気
Ｃ…耐熱セメント
Ｄ…被燃焼物
ＦＨ…火炎
Ｆｕ…燃料
１０…燃焼装置
２０…燃焼室
２０ａ…吹出し口
２０ｂ…吹込み口
３０…火炎噴射ノズル
３２…着火装置
４０…空気供給ファン
４２…羽根
５０…火炎吹出し筒
５０ａ…火炎吹出し孔
５１…閉塞部
５２…開口部
６０…空気供給路
６１…主供給路
６２…分岐供給路
６３…空気吸込み口
６４…被燃焼物吸込み孔
７０，７１…被燃焼物貯蔵部
５０１…火種部
５０２…壁部
５０２ａ…孔部
５０３…火種室
５０４…セラミックボール
６０１…フレキシブルダクト
６０２…空気吸込み路
６０３…燃料供給管
７０１…撹拌装置
【要約】
【課題】この発明は、被燃焼物を燃料として効率よく完全燃焼させることができるうえ、所望する火力の火炎を発生させることができる燃焼装置の提供を目的とする。
【解決手段】燃焼装置１０は、装置本体１０ａにおける軸方向Ｙの一端側Ｙａに吹出し口２０ａを有し、他端側Ｙｂに吹込み口２０ｂを有する筒状の燃焼室２０と、吹込み口２０ｂ側から燃焼室２０内部に向けて火炎ＦＨを噴射する火炎噴射ノズル３０と、吹込み口２０ｂ側から燃焼室２０内部に向けて被燃焼物Ｄが燃焼する際に必要な空気Ａｒを供給する空気供給ファン４０と、燃焼室２０内部に対して同心円に固定した筒状の火炎吹出し筒５０と、吹込み口２０ｂ側から燃焼室２０内部に向けて被燃焼物Ｄ及び空気Ａｒの供給が許容される空気供給路６０と、燃焼可能な被燃焼物Ｄの貯蔵が許容される被燃焼物貯蔵部７０と、を備えている。
【選択図】図１【図１】
0005509397.tif 000002
【図２】
0005509397.tif 000003
【図３】
0005509397.tif 000004
【図４】
0005509397.tif 000005
【図５】
0005509397.tif 000006
【図６】
0005509397.tif 000007
【図７】
0005509397.tif 000008
【図８】
0005509397.tif 000009